【手続補正書】
【提出日】平成23年9月30日(2011.9.30)
【手続補正１】
【補正対象書類名】明細書
【補正対象項目名】発明の名称
【補正方法】変更
【補正の内容】
【発明の名称】ディジタル情報受信装置およびディジタル情報記録再生方法
【手続補正２】
【補正対象書類名】明細書
【補正対象項目名】０００９
【補正方法】変更
【補正の内容】
【０００９】
本発明の目的は、上記した問題に鑑み、たとえばアナログ記録装置へ移動または出力するなどの動作を、著作権者等の本来の意図に反することなく実現する装置を提供することにある。
【手続補正３】
【補正対象書類名】明細書
【補正対象項目名】００１０
【補正方法】変更
【補正の内容】
【００１０】
上記目的は、その一例として特許請求の範囲に記載の構成により達成できる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】特許請求の範囲
【補正対象項目名】全文
【補正方法】変更
【補正の内容】
【特許請求の範囲】
【請求項１】
コピー制御情報とともに伝送されたディジタル映像情報を受信して記録媒体に記録し、前記記録媒体から再生するディジタル情報受信装置において、
前記コピー制御情報は、少なくとも、前記ディジタル映像情報のコピーの可否を制御する第１のコピー制御情報と、前記ディジタル映像情報のアナログ出力におけるアナログコピー制御信号の付加によりコピーの可否を制御する第２のコピー制御情報とを含み、
前記ディジタル映像情報を受信する受信手段と、
受信したディジタル映像情報を前記記録媒体に記録し、記録したディジタル映像情報を前記記録媒体から再生する記録再生手段と、
受信したディジタル映像情報または前記記録再生手段において再生したディジタル映像情報をアナログ信号としてアナログコピー制御情報と前記アナログコピー制御信号とを付加して出力するアナログ信号出力手段と、
前記コピー制御情報によって前記記録再生手段と前記アナログ信号出力手段とを制御する制御手段とを備え、
前記制御手段は、受信したディジタル映像情報の第１のコピー制御情報が一世代のみ記録を許すことを示す場合に、受信したディジタル映像情報を、第１のコピー制御情報をこれ以上はコピー禁止として記録し、
受信した前記ディジタル映像情報または前記記録再生手段から再生した前記ディジタル映像情報を前記アナログ信号出力手段よりアナログ信号として出力する場合に、出力するディジタル映像情報の第１のコピー制御情報に応じて前記アナログ信号に前記アナログコピー制御情報を付加し、出力するディジタル映像情報の第１のコピー制御情報と、前記第２のコピー制御情報の組合せによって前記アナログ信号への前記アナログコピー制御信号の付加を制御し、
出力するディジタル映像情報の第１のコピー制御情報がこれ以上はコピー禁止であることを示すときには、前記アナログ信号に、これ以上はコピー禁止であることを示すアナログコピー制御情報を付加し、かつ、前記第２のコピー制御情報を有効とし、前記第２のコピー制御情報にしたがって前記アナログコピー制御信号の付加を制御して出力し、
出力するディジタル映像情報の第１のコピー制御情報が一世代のみ記録を許すことを示すときには、前記アナログ信号に、一世代のみ記録を許すことを示すアナログコピー制御情報を付加し、かつ、前記第２のコピー制御情報を有効としないで、前記アナログコピー制御信号を付加しないで出力することを特徴とするディジタル情報受信装置。
【請求項２】
コピー制御情報とともに伝送されたディジタル映像情報を受信して記録媒体に記録し、前記記録媒体から再生するディジタル情報記録再生方法において、
前記コピー制御情報は、少なくとも、前記ディジタル映像情報のコピーの可否を制御する第１のコピー制御情報と、前記ディジタル映像情報のアナログ出力におけるアナログコピー制御信号の付加によりコピーの可否を制御する第２のコピー制御情報とを含み、
前記ディジタル映像情報を受信する受信ステップと、
受信したディジタル映像情報を前記記録媒体に記録し、記録したディジタル映像情報を前記記録媒体から再生する記録再生ステップと、
受信したディジタル映像情報または前記記録媒体から再生したディジタル映像情報をアナログ信号として出力する出力ステップとを有し、
受信したディジタル映像情報の第１のコピー制御情報が一世代のみ記録を許すことを示す場合に、受信したディジタル映像情報を、第１のコピー制御情報をこれ以上はコピー禁止として記録し、
受信したディジタル映像情報または再生したディジタル映像情報をアナログ信号として出力する場合に、出力するディジタル映像情報の第１のコピー制御情報に応じて前記アナログ信号にアナログコピー制御情報を付加し、出力するディジタル映像情報の第１のコピー制御情報と、前記第２のコピー制御情報の組合せによって前記アナログ信号への前記アナログコピー制御信号の付加を制御し、
出力するディジタル映像情報の第１のコピー制御情報がこれ以上はコピー禁止であることを示すときには、前記アナログ信号に、これ以上はコピー禁止であることを示すアナログコピー制御情報を付加し、かつ、前記第２のコピー制御情報を有効とし、前記第２のコピー制御情報にしたがって前記アナログコピー制御信号の付加を制御して出力し、
出力するディジタル映像情報の第１のコピー制御情報が一世代のみ記録を許すことを示すときには、前記アナログ信号に、一世代のみ記録を許すことを示すアナログコピー制御情報を付加し、かつ、前記第２のコピー制御情報を有効としないで、前記アナログコピー制御信号を付加しないで出力することを特徴とするディジタル情報記録再生方法。
【請求項３】
ディジタル映像情報を受信して記録媒体に記録し、前記記録媒体から再生するディジタル情報受信装置において、
前記ディジタル映像情報は、ディジタル映像情報のコピーの可否を制御するコピー制御情報と、ディジタル映像情報のアナログ出力における擬似シンクパルス信号の付加を制御するＡＰＳ制御情報とともに伝送された情報であり、
前記ディジタル映像情報を受信する受信手段と、
受信したディジタル映像情報を前記記録媒体に記録し、記録したディジタル映像情報を前記記録媒体から再生する記録再生手段と、
受信したディジタル映像情報または前記記録再生手段において再生したディジタル映像情報を、アナログ信号として出力するアナログ信号出力手段と、
前記記録再生手段と前記アナログ信号出力手段とを制御する制御手段とを備え、
前記制御手段は、
受信したディジタル映像情報のコピー制御情報が一世代のみ記録を許すことを示す場合に、受信したディジタル映像情報を、コピー制御情報をこれ以上はコピー禁止として記録し、
受信したディジタル映像情報または前記記録再生手段から再生したディジタル映像情報を前記アナログ信号出力手段よりアナログ信号として出力する場合に、
出力するディジタル映像情報のコピー制御情報がこれ以上はコピー禁止であることを示すときには、前記アナログ信号に、これ以上はコピー禁止であることを示すＣＧＭＳ情報を付加し、かつ、前記ＡＰＳ制御情報を有効とし、前記ＡＰＳ制御情報にしたがって前記擬似シンクパルス信号の付加を制御して出力し、
出力するディジタル映像情報のコピー制御情報が一世代のみ記録を許すことを示すときには、前記アナログ信号に、一世代のみ記録を許すことを示すＣＧＭＳ情報を付加し、かつ、前記ＡＰＳ制御情報を有効としないで、前記擬似シンクパルス信号を付加しないで出力することを特徴とするディジタル情報受信装置。
【請求項４】
ディジタル映像情報を受信して記録媒体に記録し、前記記録媒体から再生するディジタル情報記録再生方法において、
前記ディジタル映像情報は、ディジタル映像情報のコピーの可否を制御するコピー制御情報と、ディジタル映像情報のアナログ出力における擬似シンクパルス信号の付加を制御するＡＰＳ制御情報とともに伝送された情報であり、
前記ディジタル映像情報を受信する受信ステップと、
受信したディジタル映像情報を前記記録媒体に記録し、記録したディジタル映像情報を前記記録媒体から再生する記録再生ステップと、
受信したディジタル映像情報または前記記録媒体から再生したディジタル映像情報をアナログ信号として出力する出力ステップとを有し、
受信したディジタル映像情報のコピー制御情報が一世代のみ記録を許すことを示す場合に、受信したディジタル映像情報を、コピー制御情報をこれ以上はコピー禁止として記録し、
受信したディジタル映像情報または再生したディジタル映像情報をアナログ信号として出力する場合に、
出力するディジタル映像情報のコピー制御情報がこれ以上はコピー禁止であることを示すときには、前記アナログ信号に、これ以上はコピー禁止であることを示すＣＧＭＳ情報を付加し、かつ、前記ＡＰＳ制御情報を有効とし、前記ＡＰＳ制御情報にしたがって前記擬似シンクパルス信号の付加を制御して出力し、
出力するディジタル映像情報のコピー制御情報が一世代のみ記録を許すことを示すときには、前記アナログ信号に、一世代のみ記録を許すことを示すＣＧＭＳ情報を付加し、かつ、前記ＡＰＳ制御情報を有効としないで、前記擬似シンクパルス信号を付加しないで出力することを特徴とするディジタル情報記録再生方法。